(57)【要約】【課題】Ｗｅｂアプリケーションを備える装置が省電力状態にある状態でＷｅｂアクセスがあった場合の省電力状態からの復帰を最適化して装置の省電力を図る。【解決手段】画像形成装置１００は、Ｗｅｂアプリケーション１０１、画像形成部１０２、外部記憶装置１０３、センサー１０４、電力制御部１０５、不揮発性メモリ１０６、暗号処理部１０７、ネットワークインタフェース１０８を備えて構成されている。不揮発性メモリには、設定情報として、省電力状態から通常状態へ復帰するか、復帰しないか、または、問い合わせるかの情報が格納されている。省電力状態にあるときにＷｅｂブラウザ２０１からリクエストを受信すると、前記Ｗｅｂアプリケーションは、不揮発性メモリから取得する設定情報に従って、省電力状態から通常状態へ復帰させるか、復帰させないか、または、リクエスト元に復帰を問い合わせるかを決定する。【選択図】図１
2007249381.tif 000002
【特許請求の範囲】
【請求項１】
省電力制御が可能な情報処理装置において、電力制御部と、Ｗｅｂアプリケーションと、ネットワークインタフェースとを備え、設定情報として、省電力状態から通常状態へ復帰するか、復帰しないか、または、問い合わせるかの情報を有し、省電力状態にあるときに前記ネットワークインタフェースを介したＷｅｂアクセスによるリクエストを受信した場合、前記Ｗｅｂアプリケーションは、前記設定情報に従って、省電力状態から通常状態へ復帰させるか、復帰させないか、または、リクエスト元に復帰を問い合わせるかを決定して、省電力状態から通常状態へ復帰させる場合に、前記電力制御部に復帰の指示を行うことを特徴とする情報処理装置。
【請求項２】
前記Ｗｅｂアプリケーションは、前記電力制御部に復帰の指示を行う場合に、前記受信したリクエストの内容に従って、そのリクエストの内容に対する応答のために必要な部位を指定し、前記電力制御部は、指示による部位についてだけ、省電力状態から通常状態へ復帰させることを特徴とする請求項１記載の情報処理装置。
【請求項３】
前記リクエスト元に復帰を問い合わせるのは、受信したリクエストの内容が、省電力状態からの復帰を行って応答のためのページを生成する必要がある場合であることを特徴とする請求項１記載の情報処理装置。
【請求項４】
前記Ｗｅｂアプリケーションは、省電力状態からの復帰を行うことなく応答のためのページを生成する場合、簡略化したページを生成することを特徴とする請求項１記載の情報処理装置。
【請求項５】
前記簡略化したページには、「省電力中で取得できません」の内容を持つ表示、または、省電力中でも取得できるリクエストの内容の項目のみについての内容を持つ表示を行うことを特徴とする請求項４記載の受信処理装置。
【請求項６】
前記Ｗｅｂアプリケーションは、省電力状態からの復帰を行うことなく応答のためのページを生成し、そのページの中の内容に、再アクセスが行われたとき、省電力状態から復帰させる必要のある項目がある場合、その項目に注意表示を付して前記応答のためのページを生成することを特徴とする請求項１記載の情報処理装置。
【請求項７】
前記Ｗｅｂアプリケーションは、省電力状態から復帰を行わない場合に、ネットワークに接続されている他のＷｅｂサーバーに転送するためのレスポンスを生成することを特徴とする請求項１記載の受信処理装置。
【請求項８】
暗号処理部をさらに備え、前記Ｗｅｂアプリケーションは、前記電力制御部から省電力状態への移行が通知されたとき、前記設定情報が復帰させないとなっていた場合、前記暗号処理部に対して停止要求を行って、暗号化処理部を停止させることを特徴とする請求項１記載の情報処理装置。
【請求項９】
前記Ｗｅｂアプリケーションは、前記電力制御部から省電力状態への移行が通知されたとき、前記設定情報が復帰させないとなっていた場合、前記ネットワークインタフェースに対して停止要求を行って、前記ネットワークインタフェースのＷｅｂアクセスのためのポートを閉じさせることを特徴とする請求項１記載の情報処理装置。
【請求項１０】
省電力制御が可能な情報処理装置の省電力制御方法において、前記情報処理装置は、電力制御部と、Ｗｅｂアプリケーションと、ネットワークインタフェースとを備え、設定情報として、省電力状態から通常状態へ復帰するか、復帰しないか、または、問い合わせるかの情報を有し、省電力状態にあるときに前記ネットワークインタフェースを介したＷｅｂアクセスによるリクエストを受信した場合、前記Ｗｅｂアプリケーションは、前記設定情報に従って、省電力状態から通常状態へ復帰させるか、復帰させないか、または、リクエスト元に復帰を問い合わせるかを決定して、省電力状態から通常状態へ復帰させる場合に、前記電力制御部に復帰の指示を行うことを特徴とする情報処理装置の省電力制御方法。
【請求項１１】
前記Ｗｅｂアプリケーションは、前記電力制御部に復帰の指示を行う場合に、前記受信したリクエストの内容に従って、そのリクエストの内容に対する応答のために必要な部位を指定し、前記電力制御部は、指示による部位についてだけ、省電力状態から通常状態へ復帰させることを特徴とする請求項１０記載の情報処理装置の省電力制御方法。
【発明の詳細な説明】
【技術分野】
【０００１】
本発明は、情報処理装置及びその省電力制御方法に係り、特に、Ｗｅｂアプリケーションを備える情報処理装置が省電力状態にある状態でＷｅｂアクセスがあった場合の省電力状態からの復帰を最適化して装置の省電力を図ることを可能とした情報処理装置及びその省電力制御方法に関する。
【背景技術】
【０００２】
情報処理装置等の電子装置の省電力制御に関する従来技術として、例えば、特許文献１等に記載された技術が知られている。この従来技術は、プリンタ、複写機等の省電力制御に関するもので、印刷要求データを受信すると、１枚目の印刷データを準備するために要する準備時間を算出し、この準備時間と定着立上り時間との差に応じて定着ヒータの通電タイミングを設定することにより、無駄な電力消費を抑制するというものである。
【特許文献１】特開２００２−７２７６１号公報
【発明の開示】
【発明が解決しようとする課題】
【０００３】
一般に、省電力機能を備え、かつ、Ｗｅｂアプリケーションを有する情報処理装置等の電子装置は、省電力状態であってもＷｅｂアクセスが行われると、省電力状態から通常状態へ復帰してしまうことになり、省電力効果が薄れるという問題点を有している。
【０００４】
例えば、プリンタ、複写機の電子装置は、文書情報等を格納するＨＤＤ、用紙残量センサ等の各種のセンサが備えられているが、省電力状態にある場合、ＨＤＤ等に対する電源供給が停止されており、これらに記憶された情報を取得するためには、一度通常状態に復帰させる必要があり、また、用紙残量センサー等のセンサ類にも電源が供給されていない場合、用紙残量を取得することもできなくなる。このため、従来の省電力制御では、装置が省電力状態にある場合にＷｅｂアクセスがあると、アクセスの内容にかかわらず、一旦、通常状態に復帰させて、アクセスによる要求内容に対応している。このため、前述したように、充分な省電力の効果を得ることができないことになる。
【０００５】
本発明の目的は、前述したような従来技術の問題点を解決し、Ｗｅｂアプリケーションを備える情報処理装置が省電力状態にある状態でＷｅｂアクセスがあった場合の省電力状態からの復帰を最適化して装置の省電力を図ることを可能とした情報処理装置及びその省電力制御方法を提供することにある。
【課題を解決するための手段】
【０００６】
前記目的を達成するための本発明の第１の手段は、省電力制御が可能な情報処理装置において、電力制御部と、Ｗｅｂアプリケーションと、ネットワークインタフェースとを備え、設定情報として、省電力状態から通常状態へ復帰するか、復帰しないか、または、問い合わせるかの情報を有し、省電力状態にあるときに前記ネットワークインタフェースを介したＷｅｂアクセスによるリクエストを受信した場合、前記Ｗｅｂアプリケーションは、前記設定情報に従って、省電力状態から通常状態へ復帰させるか、復帰させないか、または、リクエスト元に復帰を問い合わせるかを決定して、省電力状態から通常状態へ復帰させる場合に、前記電力制御部に復帰の指示を行うことを特徴とする。
【０００７】
また、本発明の第２の手段は、第１の手段において、前記Ｗｅｂアプリケーションは、前記電力制御部に復帰の指示を行う場合に、前記受信したリクエストの内容に従って、そのリクエストの内容に対する応答のために必要な部位を指定し、前記電力制御部は、指示による部位についてだけ、省電力状態から通常状態へ復帰させることを特徴とする。
【０００８】
また、本発明の第３の手段は、第１の手段において、前記リクエスト元に復帰を問い合わせるのは、受信したリクエストの内容が、省電力状態からの復帰を行って応答のためのページを生成する必要がある場合であることを特徴とする。
【０００９】
また、本発明の第４の手段は、第１の手段において、前記Ｗｅｂアプリケーションは、省電力状態からの復帰を行うことなく応答のためのページを生成する場合、簡略化したページを生成することを特徴とする。
【００１０】
また、本発明の第５の手段は、前記簡略化したページには、「省電力中で取得できません」の内容を持つ表示、または、省電力中でも取得できるリクエストの内容の項目のみについての内容を持つ表示を行うことを特徴とする。
【００１１】
また、本発明の第６の手段は、第１の手段において、前記Ｗｅｂアプリケーションは、省電力状態からの復帰を行うことなく応答のためのページを生成し、そのページの中の内容に、再アクセスが行われたとき、省電力状態から復帰させる必要のある項目がある場合、その項目に注意表示を付して前記応答のためのページを生成することを特徴とする。
【００１２】
また、本発明の第７の手段は、第１の手段において、前記Ｗｅｂアプリケーションは、省電力状態から復帰を行わない場合に、ネットワークに接続されている他のＷｅｂサーバーに転送するためのレスポンスを生成することを特徴とする。
【００１３】
また、本発明の第８の手段は、第１の手段において、暗号処理部をさらに備え、前記Ｗｅｂアプリケーションは、前記電力制御部から省電力状態への移行が通知されたとき、前記設定情報が復帰させないとなっていた場合、前記暗号処理部に対して停止要求を行って、暗号化処理部を停止させることを特徴とする。
【００１４】
また、本発明の第９の手段は、第１の手段において、前記Ｗｅｂアプリケーションは、前記電力制御部から省電力状態への移行が通知されたとき、前記設定情報が復帰させないとなっていた場合、前記ネットワークインタフェースに対して停止要求を行って、前記ネットワークインタフェースのＷｅｂアクセスのためのポートを閉じさせることを特徴とする。
【００１５】
また、本発明の第１０の手段は、省電力制御が可能な情報処理装置の省電力制御方法において、前記情報処理装置は、電力制御部と、Ｗｅｂアプリケーションと、ネットワークインタフェースとを備え、設定情報として、省電力状態から通常状態へ復帰するか、復帰しないか、または、問い合わせるかの情報を有し、省電力状態にあるときに前記ネットワークインタフェースを介したＷｅｂアクセスによるリクエストを受信した場合、前記Ｗｅｂアプリケーションは、前記設定情報に従って、省電力状態から通常状態へ復帰させるか、復帰させないか、または、リクエスト元に復帰を問い合わせるかを決定して、省電力状態から通常状態へ復帰させる場合に、前記電力制御部に復帰の指示を行うことを特徴とする。
【００１６】
またふ、本発明の第１１の手段は、第１０の手段において、前記Ｗｅｂアプリケーションは、前記電力制御部に復帰の指示を行う場合に、前記受信したリクエストの内容に従って、そのリクエストの内容に対する応答のために必要な部位を指定し、前記電力制御部は、指示による部位についてだけ、省電力状態から通常状態へ復帰させることを特徴とする。
【発明の効果】
【００１７】
本発明によれば、省電力状態にある情報手段装置に対してＷｅｂアクセスがあった場合、省電力状態から通常状態へ復帰させるか、復帰させないか、または、アクセスを行ったユーザに問い合わせるかとういう制御を行うこととしているので、Ｗｅｂアクセスがあった場合にも、通常状態へ復帰させる必要を最小限に抑えることができ、これにより、省電力効果を高めることができる。
【発明を実施するための最良の形態】
【００１８】
以下、本発明による情報処理装置及びその省電力制御方法の実施形態を図面により詳細に説明する。なお、以下に説明する本発明の実施形態は、情報処理装置の例として、画像形成装置の例を挙げて説明するが、本発明は、画像形成装置に限らず、Ｗｅｂアプリケーションを持って構成されている情報処理装置であればどのような装置に対しても適用することができる。
【００１９】
図１は本発明の一実施形態による画像形成装置を含むＷｅｂシステムの構成例を示すブロック図である。
【００２０】
図１に示す本発明の実施形態による画像形成装置１００は、Ｗｅｂアプリケーション１０１、画像形成部１０２、外部記憶装置１０３、センサー１０４、電力制御部１０５、設定情報格納用不揮発性メモリ１０６、暗号処理部１０７、ネットワークインタフェース１０８を備えて構成されている。そして、図１に示すＷｅｂシステムは、前述のような画像形成装置１００が、ネットワークを介してＷｅｂブラウザ２０１を備えるＰＣ等のコンピュータ２００に接続されて構成されている。そして、画像形成装置１００は、Ｗｅｂブラウザ２０１からのリクエストに対して、Ｗｅｂページをレスポンスとして返すＷｅｂサーバとしての機能を有している。
【００２１】
前述において、画像形成装置１００の画像形成部１０２、センサ１０４以外の部分が、情報処理の制御を担う部分であり、よく知られているように、ＣＰＵ、メモリを含んで構成されていればよく、電力制御部１０５、Ｗｅｂアプリケーション１０１は、プログラムにより構成され、メモリにロードされ、ＣＰＵにより実行されることにより各機能が実現される。また、暗号処理部１０７は、ハードウェアにより構成されても、あるいは、ソフトウェアプログラムにより構成されてもよいが、プログラムにより構成される場合には、そのプログラムがメモリにロードされ、ＣＰＵにより実行されることによりその機能が実現される。また、コンピュータ１００は、ＰＣ等であってよく、ＣＰＵ、メモリ、ＨＤＤ等による外部記憶装置、キーボード、マウス等の入力装置及び表示装置が備えられて構成されていればよい。
【００２２】
Ｗｅｂアプリケーション１０１は、ネットワークインタフェース１０８を介して、または、ネットワークインタフェース１０８及び暗号処理部１０７を介して、コンピュータ２００のＷｅｂブラウザ２０１からのリクエストを受け取り、リクエストに対するレスポンスを返す。また、Ｗｅｂアプリケーション１０１は、電力制御部１０５から装置を構成する各部位の電力供給状態を取得すると共に、省電力状態からの復帰を指示することが可能である。
【００２３】
画像形成部１０２は、図示しないが、プリンタエンジン、スキャナエンジン等を有し、画像を形成する処理を行い、電力制御部１０５からの指示により電力状態を省電力状態から通常電力状態に、あるいは、その逆に移行させる。外部記憶装置１０３は、ＨＤＤ等により構成され、アドレス情報や文書情報等を保存し、電力制御部１０５からの指示により電力状態を省電力状態から通常電力状態に、あるいは、その逆に移行させる。そして、外部記憶装置１０３は、通常電力状態において、情報の読み出し、書き込みを行うことが可能である。センサー１０４は、画像形成部１０２の状態を測定し、電力制御部１０５からの指示により電力状態を省電力状態から通常電力状態に、あるいは、その逆に移行させる。電力制御部１０５は、画像形成部１０２、外部記憶装置１０３、センサー１０４に対し、電力状態を通常電力状態から省電力状態への移行、あるいは、省電力状態から通常電力状態への移行を指示する。
【００２４】
設定情報格納用不揮発性メモリ１０６には、設定内容が保存され、Ｗｅｂアプリケーション１０１から設定内容の読み出しを行うことができる。設定情報の内容は、装置毎に予め定められた内容であり、本発明の実施形態では、電力状態を省電力状態から通常電力状態に「復帰させる」、「復帰させない」、「アクセスしてきたブラウザに問い合わせる」の３つの内容うちの１つであるとしている。この内容は、固定的に決められていてもよいが、画像形成装置１００が設置されている事業所等の勤務時間等に合わせて変更してもよい。
【００２５】
暗号処理部１０７は、暗号通信の場合に、ネットワークインタフェース１０８から暗号化されたリクエストを受け取り、これを解読してＷｅｂアプリケーション１０１に渡し、また、Ｗｅｂアプリケーション１０１からレスポンスを受け取り、そのレスポンスを暗号化し、ネットワークインタフェース１０８に渡す処理を行う。
【００２６】
図２は本発明の他の実施形態による画像形成装置を含むＷｅｂシステムの他の構成例を示すブロック図である。図２に示すＷｅｂシステムは、図１に示して説明したものに対して、Ｗｅｂサーバ３０１を持つコンピュータ３００が、コンピュータ１００とは別にネットワークに接続されて構成されており、それ以外は図１の場合と同様である。そして、このコンピュータ３００内のＷｅｂサーバ３０１は、コンピュータ１００が持つＷｅｂブラウザ２０１からアクセス可能に用意されている。
【００２７】
図３は画像形成装置１００が省電力状態にある場合に、Ｗｅｂブラウザからのリクエストがあった場合の動作を説明するシーケンスチャートである。ここで説明するシーケンスは、設定情報格納用不揮発性メモリ１０６に、電力状態を省電力状態から通常電力状態にするか否かを「アクセスしてきたブラウザに問い合わせる」という内容が格納されていて、問い合わせ結果が省電力状態から通常電力状態への復帰であった場合の動作例である。なお、以後に説明する例でも同様であるが、画像形成装置１００を通常電力状態から省電力状態への移行は、画像形成装置１００が一定時間以上使用されなかった場合、あるいは、画像形成装置１００の省エネボタン等によりユーザによって指示された場合等に、電力制御部１０５が、画像形成装置１００の各部位に指示を与えることにより行われる。
【００２８】
（１）コンピュータ２００のＷｅｂブラウザ２０１は、暗号通信により画像形成装置１００にリクエストを送信する。このリクエストには、メニュー、文書一覧、アドレス帳一覧等の外部記憶装置内に格納されている情報の取得要求、トナー残量、用紙残量等の器機の状態情報の取得要求等が含まれている（シーケンス３０１）。
【００２９】
（２）シーケンス３０１で送信されてきた暗号化済みリクエストは、ネットワークインタフェース１０８により受信されて、暗号処理部１０７に渡され、暗号処理部１０７は、リクエストを解読し、Ｗｅｂアプリケーション１０１に渡す（シーケンス３０２）。
【００３０】
（３）Ｗｅｂアプリケーション１０１は、電力制御部１０５から画像形成装置を構成する各部位の電力状態を取得し、省電力状態であることを知り、設定情報格納用不揮発性メモリ１０６から省電力状態における設定情報である対応方法を取得する（シーケンス３０４〜３０６）。
【００３１】
（４）Ｗｅｂアプリケーション１０１は、設定情報格納用不揮発性メモリ１０６から取得した設定情報である対応方法が、クライアントであるコンピュータ２００に問い合わせを行うことであることを知り、問い合わせのレスポンスを暗号処理部１０７に返す（シーケンス３０７）。
【００３２】
（５）Ｗｅｂアプリケーション１０１からレスポンスを受け取った暗号処理部１０７は、レスポンスを暗号化し、暗号済みレスポンスがネットワークインタフェース１０８を通してコンピュータ２００のＷｅｂブラウザ２０１に返される（シーケンス３０８）。
【００３３】
（６）シーケンス３０８でのレスポンスを受け取ったＷｅｂブラウザ２０１は、コンピュータの表示部に問い合わせ画面を表示する。Ｗｅｂブラウザ２０１の操作者は、この問い合わせに対する応答として、省電力状態からの復帰を指示する暗号化済みリクエストを画像形成装置１００に送信する（シーケンス３０９）。
【００３４】
（７）シーケンス３０９で送信されてきた暗号化済みリクエストは、ネットワークインタフェース１０８により受信されて、暗号処理部１０７に渡され、暗号処理部１０７は、リクエストを解読し、Ｗｅｂアプリケーション１０１に渡す（シーケンス３１０）。
【００３５】
（８）Ｗｅｂアプリケーション１０１は、復帰を指示するリクエストを暗号処理部１０７から受け取ると、電力制御部１０５に省電力状態からの復帰を指示する。この場合、Ｗｅｂアプリケーション１０１は、シーケンス３０１での最初のリクエストの内容に従って、復帰させるべき部位を指定して、例えば、リクエストの内容が外部記憶装置内に格納されている情報の取得要求であった場合、外部記憶装置１０３を指定して、また、リクエストの内容が器機の状態情報の取得要求であった場合、センサ１０４を指定して、省電力状態から通常電力状態に復帰させるように電力制御部１０５に要求を行う（シーケンス３１１）。
【００３６】
（９）その後、電力制御部１０５は、Ｗｅｂアプリケーション１０１からの指示に従って、指定された部位の電力状態を省電力状態から通常電力状態に復帰させるので、Ｗｅｂアプリケーション１０１は、最初のリクエストの内容に対する応答の内容を含むＷｅｂページを生成して、これをレスポンスとして暗号処理部１０７に返す（シーケンス３１２、３１３）。
【００３７】
（10）Ｗｅｂアプリケーション１０１からレスポンスを受け取った暗号処理部１０７は、レスポンスを暗号化し、暗号済みレスポンスがネットワークインタフェース１０８を通してコンピュータ２００のＷｅｂブラウザ２０１に返される（シーケンス３１４）。
【００３８】
図４はＷｅｂアプリケーション１０１が電力制御部１０５に対して省電力状態からの復帰要求を行うか否かを判断する処理動作を説明するフローチャートであり、次に、これについて説明する。
【００３９】
（１）Ｗｅｂアプリケーション１０１は、電力制御部１０５から電力状態を取得し、画像形成装置１００が省電力状態になっているか否かを判定し、省電力状態になっていなかった場合、復帰が不要であるので、復帰不要と判断して処理を終了する（ステップ４０１、４０２、４０８）。
【００４０】
（２）ステップ４０２の判定で、画像形成装置１００が省電力状態になっていた場合、Ｗｅｂアプリケーション１０１は、設定情報格納用不揮発性メモリ１０６から省電力状態における対応方法を取得し、設定情報が「復帰しない」に設定されているか否かを判定し、「復帰しない」に設定されていた場合、復帰不要と判断して処理を終了する（ステップ４０３、４０４、４０８）。
【００４１】
（３）ステップ４０４の判定で、設定情報が「復帰しない」に設定されていなかった場合、設定情報が「復帰する」に設定されているか否かを判定し、「復帰する」に設定されていた場合、復帰が必要と判断して処理を終了する（ステップ４０５、４０９）。
【００４２】
（４）ステップ４０５の判定で、設定情報が「復帰する」に設定されていなかった場合、設定情報が「問い合わせ」であるので、コンピュータ２００のＷｅｂブラウザ２０１に対して問い合わせを行う（ステップ４０６）。
【００４３】
（５）ステップ４０６での問い合わせに対するＷｅｂブラウザ２０１からの応答結果を得て、結果が「復帰する」となっていたか否かを判定し、結果が「復帰する」となっていた場合、復帰が必要と判断し、また、結果が「復帰する」となっていなかった場合、復帰不要と判断して処理を終了する（ステップ４０７、４０９、４０８）。
【００４４】
図５は省電力状態において問い合わせを行う設定であって、省電力状態からの復帰が必要なページがアクセスされた場合にのみＷｅｂアプリケーション１０１が省電力状態からの復帰要求を行う処理動作を説明するフローチャートであり、次に、これについて説明する。なお、ここで、ページとは、Ｗｅｂブラウザ２０１からのリクエスト内容に応答するために生成するＷｅｂページのことである。
【００４５】
（１）Ｗｅｂアプリケーション１０１は、コンピュータ２００のＷｅｂブラウザ２０１からのリクエストを受け取ると、電力制御部１０５から電力状態を取得し、画像形成装置１００が省電力状態になっているか否かを判定する（ステップ５０１〜５０３）。
【００４６】
（２）ステップ５０３の判定で、画像形成装置１００が省電力状態でなかった場合、受信したリクエストに応答する通常のＷｅｂページを生成して、そのＷｅｂページをレスポンスとしてコンピュータ２００のＷｅｂブラウザ２０１に返して処理を終了する（ステップ５０４）。
【００４７】
（３）ステップ５０３の判定で、画像形成装置１００が省電力状態であった場合、受信したリクエスト内容に応答するためのＷｅｂページが、そのページを生成するために復帰が必要なページであるか否かを判定し、復帰が必要なページでなかった場合、復帰させることなく、リクエストに応答するＷｅｂページを生成して、そのＷｅｂページをレスポンスとしてコンピュータ２００のＷｅｂブラウザ２０１に返して処理を終了する（ステップ５０５、５０４）。
【００４８】
（４）ステップ５０５の判定で、受信したリクエスト内容に応答するためのＷｅｂページが、そのページを生成するために復帰が必要なページであった場合、コンピュータ２００のＷｅｂブラウザ２０１に対して省電力状態からの復帰を行うか否かを問い合わせるレスポンスを生成、これをＷｅｂブラウザ２０１に返して処理を終了する（ステップ５０６）。
【００４９】
図６はＷｅｂブラウザ２０１がメニューページの要求を行った結果として返却されてきたメニューページの画面例を示す図である。メニューページは、Ｗｅｂアプリケーションが保持しており、画像形成装置１００が省電力状態にあっても、生成することができるページである。そして、Ｗｅｂブラウザ２０１を使用するユーザは、表示されたメニューの１つを選択して、必要な内容を取得するためのリクエストを画像形成装置１００に送信することができる。
【００５０】
図６に示す例では、メニューの項目として、「設定一覧」、「ジョブ履歴一覧」、「アドレス帳」、「ドキュメントボックス」があるものとしている。これらの項目のうち、「設定一覧」、「ジョブ履歴一覧」のページは、Ｗｅｂアプリケーションが保持しており、画像形成装置１００が省電力状態にあっても、生成することができるページである。また、「アドレス帳」、「ドキュメントボックス」のページは、ページ生成のために外部記憶装置１０３に保存された情報が必要となるため、省電力状態からの復帰が必要となる。このため、これらの項目には、省電力状態からの復帰が発生する旨の注意の表示を行っており、ユーザは、この注意表示により、取得のためのリクエストを行うか、後刻にするか等を判断することが可能となる。
【００５１】
図７はリクエストを受信したＷｅｂアプリケーションが省電力状態からの復帰をしないと判断した場合に、簡略化したページ生成してＷｅｂブラウザ返す処理の動作を説明するフローチャートであり、次に、これについて説明する。
【００５２】
（１）Ｗｅｂアプリケーション１０１は、コンピュータ２００のＷｅｂブラウザ２０１からのリクエストを受け取ると、電力制御部１０５から電力状態を取得し、画像形成装置１００が省電力状態になっているか否かを判定する（ステップ７０１、７０２）。
【００５３】
（２）ステップ７０２の判定で、画像形成装置１００が省電力状態でなかった場合、受信したリクエストに応答する通常のＷｅｂページを生成して、そのＷｅｂページをレスポンスとしてコンピュータ２００のＷｅｂブラウザ２０１に返して処理を終了する（ステップ７０３）。
【００５４】
（３）ステップ７０２の判定で、画像形成装置１００が省電力状態であった場合、省電力状態からの復帰が必要か否かを判断し、復帰が必要であれば、電力制御部１０５に省電力状態からの復帰を指示し、通常のＷｅｂページを生成して、そのＷｅｂページをレスポンスとしてコンピュータ２００のＷｅｂブラウザ２０１に返して処理を終了する（ステップ７０４、７０５、７０３）。
【００５５】
（４）ステップ７０４の判断で、省電力状態からの復帰が不要であると判断した場合、Ｗｅｂアプリケーション１０１は、簡略化したＷｅｂページを生成して、そのＷｅｂページをレスポンスとしてコンピュータ２００のＷｅｂブラウザ２０１に返して処理を終了する。ここで、簡略化したＷｅｂページとは、省電力状態で取得することができない項目について「省電力中で取得できません」等と表示を簡略化した内容のページ、省電力中でも取得できる項目のみについての内容を持つページ等である（ステップ７０６）。
【００５６】
前述までに説明した本発明の実施形態での動作例は、リクエストを行ったコンピュータ２００のＷｅｂブラウザ２０１にＷｅｂページを返すものとして説明したが、本発明は、図２に示したように、ネットワークにＷｅｂサーバ３０１を備える他のコンピュータ３００が接続されている場合に、他のＷｅｂサーバ３０１に転送する内容を持ったレスポンスをＷｅｂブラウザ２０１に返し、Ｗｅｂブラウザ２０１が、受信したレスポンスに従って、Ｗｅｂサーバ３０１にアクセスするようにすることができる。
【００５７】
図８は画像形成装置がリクエストに対して省電力状態からの復帰をしない場合に、他のＷｅｂサーバ３０１に転送する内容の持つレスポンスを返す処理動作を説明するフローチャートであり、次に、これについて説明する。
【００５８】
（１）Ｗｅｂアプリケーション１０１は、コンピュータ２００のＷｅｂブラウザ２０１からのリクエストを受け取ると、電力制御部１０５から電力状態を取得し、画像形成装置１００が省電力状態になっているか否かを判定する（ステップ８０１〜８０２）。
【００５９】
（２）ステップ７０２の判定で、画像形成装置１００が省電力状態でなかった場合、受信したリクエストに応答する通常のＷｅｂページを生成して、そのＷｅｂページをレスポンスとしてコンピュータ２００のＷｅｂブラウザ２０１に返して処理を終了する（ステップ８０３）。
【００６０】
（３）ステップ８０２の判定で、画像形成装置１００が省電力状態であった場合、省電力状態からの復帰が必要か否かを判断し、復帰が必要であれば、電力制御部１０５に省電力状態からの復帰を指示し、通常のＷｅｂページを生成して、そのＷｅｂページをレスポンスとしてコンピュータ２００のＷｅｂブラウザ２０１に返して処理を終了する（ステップ８０４、８０５、８０３）。
【００６１】
（４）ステップ８０４の判断で、省電力状態からの復帰が不要であると判断した場合、Ｗｅｂアプリケーション１０１は、転送用のレスポンスを生成し、このレスポンスをコンピュータ２００のＷｅｂブラウザ２０１に返して処理を終了する。このレスポンスを受け取ったＷｅｂブラウザ２０１は、このレスポンスをＷｅｂサーバ３０１へ転送する。ここでいう転送用のレスポンスとは、画像形成装置１００が省電力状態にあって、Ｗｅｂブラウザ２０１からのリクエストに対して、画像形成装置１００が必要な情報を提供することができないが、Ｗｅｂサーバ３０１に提供することができる情報がある場合に、生成されるレスポンスである（ステップ８０６）。
【００６２】
図９は画像形成装置が電力状態になったときに暗号処理部１０７を停止させる処理を説明するシーケンスチャートである。この処理は、暗号化処理部１０７が高速化のため消費電力の大きいハードウェアで実現されている場合、暗号化処理部１０７がソフトウエアにより構成されていても、省電力状態のＣＰＵでは負荷が高すぎて、現実的な速度を確保することができないような場合等に、暗号化通信を行わず、ユーザに暗号化しない通信を行わせるか、省電力から復帰させるかを選択させることを可能にするもので、より効果的な省電力制御を可能とする処理である。
【００６３】
（１）電力制御部１０５は、画像形成装置の電力状態を通常電力状態から省電力状態へ移行させる場合、Ｗｅｂアプリケーション１０１に省電力状態への移行を通知する。通常電力状態から省電力状態への移行は、装置が一定時間以上使用されない場合、あるいは、操作パネル等からユーザにより指示されたときに行われる（シーケンス９０１）。
【００６４】
（２）省電力状態への移行通知を受け取ったＷｅｂアプリケーション１０１は、設定情報格納用不揮発性メモリ１０６から省電力状態における対応方法を取得し、対応方法が「復帰しない」という設定になっていた場合に、暗号処理部１０７に対し停止要求を行う。停止要求を受け取った暗号処理部１０７は、処理を停止し、以降暗号通信を行うことができなくなる（シーケンス９０２〜９０４）。
【００６５】
図１０は省電力状態において暗号処理部１０７を停止させるか否かを判定して停止要求を行うＷｅｂアプリケーション１０１での処理を説明するフローチャートである。ここでの処理は、図９に示したシーケンスにおけるＷｅｂアプリケーション１０１の処理である。
【００６６】
（１）Ｗｅｂアプリケーション１０１は、電力制御部１０５から省電力状態への移行通知を受け取ると、設定情報格納用不揮発性メモリ１０６から省電力状態における対応方法を取得する（ステップ１００１、１００２）。
【００６７】
（２）取得した対応方法が「復帰しない」という設定になっているか否かを判定し、「復帰しない」という設定になっていなかった場合、すなわち、「復帰する」または「問い合わせを行う」という設定になっていた場合、何もせずにここでの処理を終了し、対応方法が「復帰しない」という設定になっていた場合、暗号処理部１０７に対し停止要求を行ってここでの処理を終了する（ステップ１００３、１００４）。
【００６８】
図１１は省電力状態においてネットワークインタフェース１０８を停止させるか否かを判定して停止要求を行うＷｅｂアプリケーション１０１での処理を説明するフローチャートである。ここでの処理目的、暗号処理ブラウザ１０７に対する停止処理の場合と同様に、より効果的な省電力制御を可能とする処理である。
【００６９】
（１）Ｗｅｂアプリケーション１０１は、電力制御部１０５から省電力状態への移行通知を受け取ると、設定情報格納用不揮発性メモリ１０６から省電力状態における対応方法を取得する（ステップ１１０１、１１０２）。
【００７０】
（２）取得した対応方法が「復帰しない」という設定になっているか否かを判定し、「復帰しない」という設定になっていなかった場合、すなわち、「復帰する」または「問い合わせを行う」という設定になっていた場合、何もせずにここでの処理を終了し、対応方法が「復帰しない」という設定になっていた場合、ネットワークインタフェース１０８に対し停止要求を行ってここでの処理を終了する（ステップ１１０３、１１０４）。
【００７１】
前述した本発明の実施形態での各処理は、プログラムにより構成し、画像形成装置が備えるＣＰＵに実行させることができ、また、それらのプログラムは、ＦＤ、ＣＤ−ＲＯＭ、ＤＶＤ等の記録媒体に格納して提供することができ、また、ネットワークを介してディジタル情報により提供することができる。
【００７２】
前述した本発明の実施形態は、本発明を画像形成装置に適用したものとして説明したが、本発明は、Ｗｅｂアプリケーションを備えるものであれば、情報処理装置等のどのような電子装置に対しても適用することができる。
【００７３】
前述した本発明の実施形態によれば、装置が省電力状態にあってＷｅｂアクセスされた場合に、省電力状態から通常状態へ復帰させるか、復帰させないか、または、アクセスしてきたＷｅｂブラウザに問い合わせるかを制御することができ、Ｗｅｂアクセスによって装置を省電力状態から復帰させないことが可能となり、より効果的な省電力制御を行うことができる。
【００７４】
また、本発明の実施形態によれば、省電力状態から通常状態へ復帰を行うか否かの問い合わせを、省電力状態からの復帰が必要なページにアクセスされた場合のみとすることにより、不必要な問い合わせを抑制し、省電力効果とＷｅｂブラウザ操作者の使いやすさとを両立させることができる。
【００７５】
また、本発明の実施形態によれば、省電力状態から復帰してしまうページ要求の表示部分に注意表示することにより、Ｗｅｂブラウザ操作者に省電力状態からの復帰操作を明示し、不必要な操作による省電力状態からの復帰を抑制することができる。
【００７６】
また、本発明の実施形態によれば、省電力状態から復帰を行わない場合に、簡略化したページを表示することにより、省電力状態においても可能な限りの情報をＷｅｂブラウザの操作者に提供することが可能となる。
【００７７】
また、本発明の実施形態によれば、省電力状態から復帰を行わない場合に、他のＷｅｂサーバ等へのレスポンスを転送することにより、他のＷｅｂサーバへのアクセスを行わせて、以降の省電子状態になっている装置に対するＷｅｂアクセスを行わせずに、省電力効果とＷｅｂブラウザ操作者への応答とを保証することが可能となる。
【００７８】
また、本発明の実施形態によれば、省電力状態から復帰を行わない場合に、暗号化した通信をできなくすることにより、暗号化通信に必要な電力消費を抑えることができ、また、Ｗｅｂアクセスのためのポートを閉じてしまうことにより、Ｗｅｂアクセスによる電力消費を抑えることが可能となる。
【図面の簡単な説明】
【００７９】
【図１】本発明の一実施形態による画像形成装置を含むＷｅｂシステムの構成例を示すブロック図である。
【図２】本発明の他の実施形態による画像形成装置を含むＷｅｂシステムの他の構成例を示すブロック図である。
【図３】画像形成装置が省電力状態にある場合に、Ｗｅｂブラウザからのリクエストがあった場合の動作を説明するシーケンスチャートである。
【図４】Ｗｅｂアプリケーションが電力制御部に対して省電力状態からの復帰要求を行うか否かを判断する処理動作を説明するフローチャートである。
【図５】省電力状態において問い合わせを行う設定であって、省電力状態からの復帰が必要なページがアクセスされた場合にのみＷｅｂアプリケーションが省電力状態からの復帰要求を行う処理動作を説明するフローチャートである。
【図６】Ｗｅｂブラウザがメニューページの要求を行った結果として返却されてきたメニューページの画面例を示す図である。
【図７】リクエストを受信したＷｅｂアプリケーションが省電力状態からの復帰をしないと判断した場合に、簡略化したページ生成してＷｅｂブラウザ返す処理の動作を説明するフローチャートである。
【図８】画像形成装置がリクエストに対して省電力状態からの復帰をしない場合に、他のＷｅｂサーバに転送する内容の持つレスポンスを返す処理動作を説明するフローチャートである。
【図９】画像形成装置が電力状態になったときに暗号処理部を停止させる処理を説明するシーケンスチャートである。
【図１０】省電力状態において暗号処理部を停止させるか否かを判定して停止要求を行うＷｅｂアプリケーションでの処理を説明するフローチャートである。
【図１１】省電力状態においてネットワークインタフェースを停止させるか否かを判定して停止要求を行うＷｅｂアプリケーションでの処理を説明するフローチャートである。
【符号の説明】
【００８０】
１００  画像形成装置
１０１  Ｗｅｂアプリケーション
１０２  画像形成部
１０３  外部記憶装置
１０４  センサー
１０５  電力制御部
１０６  設定情報格納用不揮発性メモリ
１０７  暗号処理部
１０８  ネットワークインタフェース
２００、３００  コンピュータ
２０１  Ｗｅｂブラウザ
３０１  Ｗｅｂサーバ
【図１】
2007249381.tif 000003
【図２】
2007249381.tif 000004
【図３】
2007249381.tif 000005
【図４】
2007249381.tif 000006
【図５】
2007249381.tif 000007
【図６】
2007249381.tif 000008
【図７】
2007249381.tif 000009
【図８】
2007249381.tif 000010
【図９】
2007249381.tif 000011
【図１０】
2007249381.tif 000012
【図１１】
2007249381.tif 000013